(57)【要約】【課題】キャスター等の移動手段が設けられていない机を容易に搬送できる台車を提供する。【解決手段】机用台車１は２つの角パイプをＴ字形に組み付けた４つのＴ字パイプ１０，２０，３０，４０を組み合わせた略矩形の枠体であり、その四隅にはキャスター１３，２３，３３，４３が設けられている。Ｔ字パイプ１０，２０，３０，４０は、それぞれの長手側角パイプ１０ａ，２０ａ，３０ａ，４０ａ及び短手側角パイプ１０ｂ，２０ｂ，３０ｂ，４０ｂが互いにスライドできる入れ子式に組み合わされている。各Ｔ字パイプ１０，２０，３０，４０には有底角筒状の脚収容部１４，２４，３４，４４が略同じ高さ位置にそれぞれ設けられており、各脚収容部１４，２４，３４，４４の底面は床面よりも僅かに高い位置にそれぞれが同じ高さになるよう略水平な状態となっている。【選択図】図１
0003163706.tif 000002
【実用新案登録請求の範囲】
【請求項１】
四辺が伸縮可能な四角形状の枠体と、
該枠体に対し少なくとも積載される机の脚数に対応して設けられ、それぞれが同じ高さ位置において床面に対して水平な底面を有し、前記机の脚を内側に収容する脚収容部と、
前記枠体の四隅に設けられるキャスターとを備える
ことを特徴とする机用台車。
【請求項２】
請求項１記載の机用台車において、
前記枠体の各辺は、それぞれ入れ子式となる２つの部材により構成される
ことを特徴とする机用台車。
【請求項３】
請求項１又は２記載の机用台車において、
前記脚収容部の前記底面は高さ方向において前記キャスターの接地面よりも僅かに高い
ことを特徴とする机用台車。
【請求項４】
請求項１乃至３のいずれか１記載の机用台車において、
前記脚収容部は前記枠体の長手方向及び短手方向において最も外側に位置する、
ことを特徴とする机用台車。
【請求項５】
請求項４記載の机用台車において、
前記キャスターは前記枠体の長手方向及び短手方向において前記脚収容部よりも内側に位置することができる
ことを特徴とする机用台車。
【考案の詳細な説明】
【技術分野】
【０００１】
本願考案は机用台車に関し、さらに詳しくは２方向に伸縮する机用台車に関する。
【背景技術】
【０００２】
既存の机には脚にキャスターが取り付けられていないものが多数存在する。例えば郵便物の仕分け作業には、はがき・封書の定形郵便物や定形外郵便物をあて地へ送付するための区分や、配達するための区分を行う区分棚が一体的に設けられた区分棚付机が用いられている。従来の区分棚付机は移動させるためのキャスターが取り付けられていないものがほとんどで、これらが現在でもそのまま利用されている。
【０００３】
このような状況にあって、年末の年賀状等の季節的要因や昨今の事業統合等による一時的な郵便物の増加に対応するために、区分棚付机のレイアウトを変更する必要が生ずる場合がある。また、建物床面積の狭い事業所においては、作業スペースを確保するために区分棚付机を移動させる必要が生ずる。しかし、当然のことながらこの区分棚付机は一般の机に比べ区分棚の分だけ重量が増して可搬性に欠け、また区分棚の分だけ高さが増して安定性に欠ける。そのため、机を動かす必要がある場合には、その都度複数人で机を持ち上げて移動させなければならず、搬送作業が煩雑であった。
【０００４】
また、折り畳み式の机などについては、例えば台車のような搬送手段が用いられる場合がある。しかし、机の寸法は統一されていないため、机の種類が複数ある場合には、机の寸法に合わせて搬送手段を選択しなければならず、寸法上手持ちの台車に机を積載することができない場合もある。
【考案の概要】
【考案が解決しようとする課題】
【０００５】
本願考案はこのような問題点を解決するためのものであり、キャスター等の移動手段が設けられていない机を容易に搬送できる台車を提供することを課題とする。
【課題を解決するための手段】
【０００６】
上記課題を解決するため、本願考案に係る机用台車は、四辺が伸縮可能な四角形状の枠体と、該枠体に対し少なくとも積載される机の脚数に対応して設けられ、それぞれが同じ高さ位置において床面に対して水平な底面を有し、前記机の脚を内側に収容する脚収容部と、前記枠体の四隅に設けられるキャスターとを備える。
さらに本願考案に係る机用台車において、前記枠体の各辺は、それぞれ入れ子式となる２つの部材により構成されることを特徴とする。
さらに本願考案に係る机用台車において、前記脚収容部の前記底面は高さ方向において前記キャスターの接地面よりも僅かに高いことを特徴とする。
さらに本願考案に係る机用台車において、前記脚収容部は前記枠体の長手方向及び短手方向において最も外側に位置することを特徴とする。
さらに本願考案に係る机用台車において、前記キャスターは前記枠体の長手方向及び短手方向において前記脚収容部よりも内側に位置することができることを特徴とする。
【考案の効果】
【０００７】
本願考案に係る台車によれば、上述のようなキャスターが取り付けられていない机であっても、様々な寸法の机を容易に搬送することができる。
【図面の簡単な説明】
【０００８】
【図１】図１は本実施の形態に係る机用台車１を示しており、（ａ）が正面図，（ｂ）が平面図である。
【図２】図２は長手側及び短手側の辺を伸ばした状態の机用台車１の平面図である。
【考案を実施するための形態】
【０００９】
図１，２を参照して、本願考案の実施形態に係る机用台車１の全体の構成を説明する。図１は本実施の形態に係る机用台車１を示しており、（ａ）が正面図，（ｂ）が平面図を表す。図２は長手側及び短手側の辺を伸ばした状態の机用台車１の平面図である。
【００１０】
机用台車（以下単に台車）１は略矩形の枠体であり、中空断面角形の２つの角パイプをＴ字形に組み付けた４つのＴ字パイプ１０，２０，３０，４０を組み合わせることにより構成されている。Ｔ字パイプ１０，２０，３０，４０はそれぞれ、枠体の長手側の辺を構成する長手側角パイプ１０ａ，２０ａ，３０ａ，４０ａと、枠体の短手側の辺を構成する短手側角パイプ１０ｂ，２０ｂ，３０ｂ，４０ｂとからなり、長手側角パイプ１０ａ，２０ａ，３０ａ，４０ａが短手側角パイプ１０ｂ，２０ｂ，３０ｂ，４０ｂの側面に、軸方向中央から図１（ｂ）において台車１の外側方向に若干ずれた位置で結合されている。
【００１１】
各Ｔ字パイプ１０，２０，３０，４０には、短手側角パイプ１０ｂ，２０ｂ，３０ｂ，４０ｂのうち長手側角パイプ１０ａ，２０ａ，３０ａ，４０ａが取り付けられた位置より図１（ｂ）で上下方向に突出している短尺部１１，２１，３１，４１の内側外表面と、長手側角パイプ１０ａ，２０ａ，３０ａ，４０ａの外側外表面とに沿って、１箇所面取りされた略正方形の板状のキャスター取付板１２，２２，３２，４２が設けられている。キャスター取付板１２，２２，３２，４２にはキャスター１３，２３，３３，４３が設けられている（図１（ｂ）においては破線で示す）。
【００１２】
各Ｔ字パイプ１０，２０，３０，４０の短手側角パイプ１０ｂ，２０ｂ，３０ｂ，４０ｂの短尺部１１，２１，３１，４１側端部には、短手側角パイプ１０ｂ，２０ｂ，３０ｂ，４０ｂに対して垂直方向（図１（ａ）において上下方向）に伸びる有底角筒状の脚収容部１４，２４，３４，４４が略同じ高さ位置にそれぞれ設けられている。各脚収容部１４，２４，３４，４４の底面は、キャスター１３，２３，３３，４３が床面に載った状態において床面よりも僅かに高い位置に、それぞれが同じ高さになるよう略水平な状態になっており、その中央に孔１５，２５，３５，４５がそれぞれ設けられている（図１（ａ）においては破線で示す）。また、各脚収容部１４，２４，３４，４４は、Ｔ字パイプ１０，２０，３０，４０それぞれに対し、台車１の長手方向において最も外側に位置するよう配置されている。
【００１３】
脚収容部１４，２４，３４，４４は床面に対して垂直に伸びており、後述のように台車１を組立てた後、図示しない机の脚の下端部を収容させることが可能となる。また、底面が略水平となっているため、机を使用状態のまま安定的に台車１に積載させることができる。さらに、孔１５，２５，３５，４５を介して机の脚が脚収容部１４，２４，３４，４４の底面に接地しているか否かを確認することができるようになっている。なお、本実施の形態においては脚収容部１４，２４，３４，４４を角筒状としているが、これに限定されず、机の脚を収容することができる形状であればよい。
【００１４】
次に台車１の組立方法を説明する。台車１のＴ字パイプ１０，２０，３０，４０は、それぞれの長手側角パイプ１０ａ，２０ａ，３０ａ，４０ａ及び短手側角パイプ１０ｂ，２０ｂ，３０ｂ，４０ｂのうち一方が内側、他方が外側となり、互いにスライドできる入れ子式に組み合わされている（図１，２において内側のパイプの目視できない箇所は破線で示す）。より具体的には、図１（ｂ）において、長手側角パイプ１０ａが長手側角パイプ４０ａに、短手側角パイプ４０ｂが短手側角パイプ３０ｂに、長手側角パイプ３０ａが長手側角パイプ２０ａに、短手側角パイプ２０ｂが短手側角パイプ１０ｂに挿入されている。
【００１５】
各Ｔ字パイプ１０，２０，３０，４０の長手側角パイプ１０ａ，２０ａ，３０ａ，４０ａ及び短手側角パイプ１０ｂ，２０ｂ，３０ｂ，４０ｂのうち、組み合わされたときに外側となるパイプ、具体的には長手側角パイプ２０ａ，４０ａ及び短手側角パイプ１０ｂ，３０ｂの外表面の内側先端部には、押圧式の固定具１６，２６，３６，４６が取り付けられている。固定具１６，２６，３６，４６は、ねじを回すことにより、組み合わされたときに内側となるパイプ、具体的には長手側角パイプ１０ａ，３０ａ及び短手側角パイプ２０ｂ，４０ｂの表面を押圧し、長手側角パイプ１０ａ，２０ａ，３０ａ，４０ａと短手側角パイプ１０ｂ，２０ｂ，３０ｂ，４０ｂとが相対移動しないよう固定する。
【００１６】
Ｔ字パイプ１０，２０，３０，４０それぞれは上述の通り入れ子式となっているため、長手側角パイプ１０ａ，２０ａ，３０ａ，４０ａ及び短手側角パイプ１０ｂ，２０ｂ，３０ｂ，４０ｂをスライドさせることにより、台車１の長手側及び短手側の辺を伸縮させることができる。手順としては、固定具１６，２６，３６，４６を緩めた後、台車１に載せる机のサイズに合わせて長手側角パイプ１０ａ，２０ａ，３０ａ，４０ａ及び短手側角パイプ１０ｂ，２０ｂ，３０ｂ，４０ｂをスライドさせて、再度固定具１６，２６，３６，４６を締め付けて固定させればよい。図２において、例えば図１のような状態から長手側及び短手側の辺を伸ばした状態の台車１を示す。
【００１７】
なお、本実施形態においては、台車１を矩形の枠体とし、Ｔ字パイプ１０，２０，３０，４０を長さの異なる角パイプで構成したが、台車の形状はこれに限定されず、例えば正方形の枠体とし、Ｔ字パイプ１０，２０，３０，４０を長さの等しい角パイプで構成してもよい。また、Ｔ字パイプ１０，２０，３０，４０を入れ子式にして台車１の伸縮を可能にしたが、長手側角パイプ１０ａ，２０ａ，３０ａ，４０ａ及び短手側角パイプ１０ｂ，２０ｂ，３０ｂ，４０ｂを上下に重ねるスライド構造としてもよい。
【００１８】
本実施の形態に係る台車１においては長手側及び短手側の辺を伸縮させることができるため、１つの台車で様々な幅や奥行の机に対応することが可能となる。
【００１９】
台車１に上述のような脚収容部１４，２４，３４，４４を設けたため、机を使用状態のまま台車に安定的に積載させて運搬でき、そのままの状態で使用することができる。加えて、脚収容部１４，２４，３４，４４の底面が床面より僅かに高くなるだけであるので、机を台車１に積載した時としていない時とで机の高さがほとんど変わらず、机上での作業に支障をきたすことがない。
【００２０】
とりわけ、本実施の形態においては各脚収容部１４，２４，３４，４４の底面が、高さ方向においてキャスター１３，２３，３３，４３の接地面よりも僅かに高い状態にあり、床面と近い高さとなっている。そのため、元の机の高さと比べ、台車１に載せた状態でも机の高さの変化を感じることがほとんどない。例えば、区分棚付机の場合には、区分棚を作業員が慣れている元の高さに近い高さに維持できるため、台車１に載せた状態で机を使用しても作業の効率を悪化させることが無い。
【００２１】
上述の通り、脚収容部１４，２４，３４，４４は、台車１に対して、その長手方向及び短手方向において最も外側に配置されている。また、キャスター１３，２３，３３，４３は、台車１の長手方向外端部（脚収容部１４，２４，３４，４４）よりも同方向において内側に、かつ、短手方向外端部（脚収容部１４，２４，３４，４４）よりも同方向において内側に位置することができるよう構成されている。これにより、台車１上に載置された机を複数接する状態で並べる際に、台車１同士が干渉してこれを妨げる事態を防止することができる。
【符号の説明】
【００２２】
１  机用台車
１０  Ｔ字パイプ
２０  Ｔ字パイプ
３０  Ｔ字パイプ
４０  Ｔ字パイプ
１０ａ  長手側角パイプ
２０ａ  長手側角パイプ
３０ａ  長手側角パイプ
４０ａ  長手側角パイプ
１０ｂ  短手側角パイプ
２０ｂ  短手側角パイプ
３０ｂ  短手側角パイプ
４０ｂ  短手側角パイプ
１３  キャスター
２３  キャスター
３３  キャスター
４３  キャスター
１４  脚収容部
２４  脚収容部
３４  脚収容部
４４  脚収容部
【図１】
0003163706.tif 000003
【図２】
0003163706.tif 000004